(57)【要約】【課題】エネルギー源をエネルギー送達デバイスに接続するときに使用されるレセプタクルアセンブリを提供すること。【解決手段】エネルギー源をエネルギー送達デバイスに接続するときに使用されるレセプタクルアセンブリであって、該レセプタクルアセンブリは、アパーチャを画定するフェースプレートと、アダプタプレートを含むアダプタアセンブリであって、該アダプタプレートは、該エネルギー源に動作可能に接続されるターミナルを支持する、アダプタアセンブリと、フェースプレートの該アパーチャの内面と該アダプタプレートの外面との間に挿置されたスペーサ部材であって、該スペーサ部材は、該フェースプレートに対する該アダプタプレートおよび該ターミナルの全方向の動きを可能にする、スペーサ部材と、を備えている、レセプタクルアセンブリ。【選択図】図１
2009061270.tif 000002
【特許請求の範囲】
【請求項１】
エネルギー源をエネルギー送達デバイスに接続するときに使用されるレセプタクルアセンブリであって、該レセプタクルアセンブリは、
アパーチャを画定するフェースプレートと、
アダプタプレートを含むアダプタアセンブリであって、該アダプタプレートは、該エネルギー源に動作可能に接続されるターミナルを支持する、アダプタアセンブリと、
フェースプレートの該アパーチャの内面と該アダプタプレートの外面との間に挿置されたスペーサ部材であって、該スペーサ部材は、該フェースプレートに対する該アダプタプレートおよび該ターミナルの全方向の動きを可能にする、スペーサ部材と、
を備えている、レセプタクルアセンブリ。
【請求項２】
前記フェースプレートおよび前記アダプタプレートは、互いに調節可能に結合される、請求項１に記載のレセプタクルアセンブリ。
【請求項３】
前記アパーチャは、前記アダプタプレートの全方向の動きを可能にするように構成され、該アパーチャと該ターミナルとは共通の中心軸に沿って整列する、請求項１または請求項２のいずれか一項に記載のレセプタクルアセンブリ。
【請求項４】
前記フェースプレートは、前記エネルギー源に取り外し可能に結合される、請求項１〜請求項３のうちのいずれか一項に記載のレセプタクルアセンブリ。
【請求項５】
前記フェースプレートは、該フェースプレートの前面から該フェースプレートの後面へ延びるコネクタを含む、請求項１〜請求項４のうちのいずれか一項に記載のレセプタクルアセンブリ。
【請求項６】
前記ターミナルは、前記アダプタプレートに永久に結合される、請求項１〜請求項５のうちのいずれか一項に記載のレセプタクルアセンブリ。
【請求項７】
前記ターミナルは、前記アダプタプレートに取り外し可能に結合される、請求項１〜請求項６のうちのいずれか一項に記載のレセプタクルアセンブリ。
【請求項８】
前記ターミナルは、ロックナットを介して前記アダプタプレートに結合される、請求項７に記載のレセプタクルアセンブリ。
【請求項９】
前記アダプタプレートは、Ｏリングの溝を有する、請求項１〜請求項８のうちのいずれか一項に記載のレセプタクルアセンブリ。
【請求項１０】
前記スペーサ部材は、前記Ｏリングの溝と係合するＯリングである、請求項９に記載のレセプタクルアセンブリ。
【請求項１１】
前記アダプタプレートは、該アダプタプレートの前面から該アダプタプレートの後面へ延びる少なくとも２つのオーバーサイズのアパーチャを含む、請求項１〜請求項１０のうちのいずれか一項に記載のレセプタクルアセンブリ。
【請求項１２】
前記フェースプレートは、前記少なくとも２つのオーバーサイズのアパーチャに対応する少なくとも２つのアパーチャを含む、請求項１１に記載のレセプタクルアセンブリ。
【請求項１３】
前記少なくとも２つのアパーチャは、締め付けデバイスを受け入れるように構成されている、請求項１２に記載のレセプタクルアセンブリ。
【請求項１４】
前記締め付けデバイスは蝶ねじである、請求項１３に記載のレセプタクルアセンブリ。
【発明の詳細な説明】
【技術分野】
【０００１】
本発明は、レセプタクルアセンブリに関し、さらに詳細には、電源が使用される医療処置において特に有用な電気デバイス、電気外科デバイスなどに使用されるレセプタクルアセンブリに関する。
【背景技術】
【０００２】
（関連技術の説明）
わずかな部品の差異により、レセプタクルおよびレセプタクルに接続するように設計されたプラグは時として、完全には整列しない。これは、レセプタクルおよびプラグが意図されたようには動作することができず、かつ機能することができないようにし得、ユーザの不満を引き起こし得、接続および／または接続解除の間にレセプタクルまたはプラグを損傷し得る。本開示は、これらのわずかな部品の差異によって引き起こされるレセプタクルとプラグとの間の整列不良を補正し得るレセプタクルアセンブリに関する。
【０００３】
レセプタクルおよびプラグの整列に不良があるとき、多くの懸念が生じる。例えば、プラグをレセプタクルから引き出しかつ／またはその中に挿入するために必要とされる力は、レセプタクルおよびプラグが、正しく整列しているときよりも大きくあり得る。別の例において、レセプタクルとプラグとの間の接続はあまりにもゆるくなりすぎることがあり得る。結果として、プラグは、レセプタクル内に正しく着座しないことがあり得るか、またはユーザが、正しい接続が確立されていないことを知覚することがあり得る。
【発明の開示】
【課題を解決するための手段】
【０００４】
エネルギー源をエネルギー送達デバイスに接続するときに使用されるレセプタクルアセンブリが提供される。一実施形態において、エネルギー源およびエネルギー送達デバイスは、ＲＦ周波数スペクトルでの電源を使用して、医療処置を実行するために使用され得る。
【０００５】
レセプタクルアセンブリは、アパーチャを画定するフェースプレートと、エネルギー源に動作可能に接続されたターミナルを支持するアダプタプレートを含むアセンブリと、フェースプレートのアパーチャの内面とアダプタプレートの外面との間に挿置された弾力性のあるスペーサとを含む。
【０００６】
フェースプレートのアパーチャは、アダプタプレートの全方向の動きを可能にするような大きさおよび形状とされ、アパーチャおよびターミナルは、共通の中心軸に沿って整列する。一実施形態において、フェースプレートは、エネルギー源に取り外し可能に取り付けられる。フェースプレートは、フェースプレートの前面からフェースプレートの後面へ延びるコネクタを含む。フェースプレートは、アダプタプレートの上の少なくとも２つのオーバーサイズの楕円形アパーチャに対応する少なくとも２つのさらなるアパーチャを含む。フェースプレートの上のさらなるアパーチャは、各々締め付けデバイスを受け入れるように構成され、締め付けデバイスは、少なくとも２つの蝶ねじであり得る。
【０００７】
一実施形態において、アダプタプレートは、それに永久に取り付けられたターミナルを有する。代替の実施形態において、ターミナルは、例えばロックナットなどを介して、アダプタプレートに取り外し可能に固定され得る。アダプタプレートは、アダプタプレートの前面からアダプタプレートの後面へ延びるオーバーサイズの楕円形アパーチャを含む。アダプタプレートは、Ｏリングの溝も含む。一実施形態において、フェースプレートおよびアダプタプレートは、互いに調節可能に取り付けられる。
【０００８】
フェースプレートのアパーチャの内面とアダプタプレートの外面との間に挿置された弾力性のあるスペーサは、フェースプレートに対するアダプタプレートおよびターミナルの全方向の動きを可能にする。一実施形態において、スペーサは、Ｏリングの溝と動作可能に接触するＯリングである。
【０００９】
本発明は、さらに以下の手段を提供する。
【００１０】
（項目１ａ）
エネルギー源をエネルギー送達デバイスに接続するときに使用されるレセプタクルアセンブリであって、該レセプタクルアセンブリは、
アパーチャを画定するフェースプレートと、
アダプタプレートを含むアダプタアセンブリであって、該アダプタプレートは、該エネルギー源に動作可能に接続されるターミナルを支持する、アダプタアセンブリと、
フェースプレートの該アパーチャの内面と該アダプタプレートの外面との間に挿置されたスペーサ部材であって、該スペーサ部材は、該フェースプレートに対する該アダプタプレートおよび該ターミナルの全方向の動きを可能にする、スペーサ部材と、
を備えている、レセプタクルアセンブリ。
【００１１】
（項目２ａ）
上記フェースプレートおよび上記アダプタプレートは、互いに調節可能に結合される、項目１ａに記載のレセプタクルアセンブリ。
【００１２】
（項目３ａ）
上記アパーチャは、上記アダプタプレートの全方向の動きを可能にするように構成され、該アパーチャと該ターミナルとは共通の中心軸に沿って整列する、項目１ａまたは項目２ａのいずれか一項に記載のレセプタクルアセンブリ。
【００１３】
（項目４ａ）
上記フェースプレートは、上記エネルギー源に取り外し可能に結合される、項目１ａ〜項目３ａのうちのいずれか一項に記載のレセプタクルアセンブリ。
【００１４】
（項目５ａ）
上記フェースプレートは、該フェースプレートの前面から該フェースプレートの後面へ延びるコネクタを含む、項目１ａ〜項目４ａのうちのいずれか一項に記載のレセプタクルアセンブリ。
【００１５】
（項目６ａ）
上記ターミナルは、上記アダプタプレートに永久に結合される、項目１ａ〜項目５ａのうちのいずれか一項に記載のレセプタクルアセンブリ。
【００１６】
（項目７ａ）
上記ターミナルは、上記アダプタプレートに取り外し可能に結合される、項目１ａ〜項目６ａのうちのいずれか一項に記載のレセプタクルアセンブリ。
【００１７】
（項目８ａ）
上記ターミナルは、ロックナットを介して上記アダプタプレートに結合される、項目７ａに記載のレセプタクルアセンブリ。
【００１８】
（項目９ａ）
上記アダプタプレートは、Ｏリングの溝を有する、項目１ａ〜項目８ａのうちのいずれか一項に記載のレセプタクルアセンブリ。
【００１９】
（項目１０ａ）
上記スペーサ部材は、上記Ｏリングの溝と係合するＯリングである、項目９ａに記載のレセプタクルアセンブリ。
【００２０】
（項目１１ａ）
上記アダプタプレートは、該アダプタプレートの前面から該アダプタプレートの後面へ延びる少なくとも２つのオーバーサイズのアパーチャを含む、項目１ａ〜項目１０ａのうちのいずれか一項に記載のレセプタクルアセンブリ。
【００２１】
（項目１２ａ）
上記フェースプレートは、上記少なくとも２つのオーバーサイズのアパーチャに対応する少なくとも２つのアパーチャを含む、項目１１ａに記載のレセプタクルアセンブリ。
【００２２】
（項目１３ａ）
上記少なくとも２つのアパーチャは、締め付けデバイスを受け入れるように構成されている、項目１２ａに記載のレセプタクルアセンブリ。
【００２３】
（項目１４ａ）
上記締め付けデバイスは蝶ねじである、項目１３ａに記載のレセプタクルアセンブリ。
【００２４】
（項目１ｂ）
エネルギー源をエネルギー送達デバイスに接続するときに使用されるレセプタクルアセンブリであって、該レセプタクルアセンブリは、
アパーチャを画定するフェースプレートと、
アダプタプレートを含むアダプタアセンブリであって、該アダプタプレートは、該エネルギー源に動作可能に接続されるターミナルを支持する、アダプタアセンブリと、
フェースプレートの該アパーチャの内面と該アダプタプレートの外面との間に挿置されたスペーサ部材であって、該スペーサ部材は、該フェースプレートに対する該アダプタプレートおよび該ターミナルの全方向の動きを可能にする、スペーサ部材と、
を備えている、レセプタクルアセンブリ。
【００２５】
（項目２ｂ）
上記フェースプレートおよび上記アダプタプレートは、互いに調節可能に結合される、項目１ｂに記載のレセプタクルアセンブリ。
【００２６】
（項目３ｂ）
前記アパーチャは、前記アダプタプレートの全方向の動きを可能にするように構成され、該アパーチャと該ターミナルとは共通の中心軸に沿って整列する、請求項１ｂに記載のレセプタクルアセンブリ。
【００２７】
（項目４ｂ）
上記フェースプレートは、上記エネルギー源に取り外し可能に結合される、項目１ｂに記載のレセプタクルアセンブリ。
【００２８】
（項目５ｂ）
上記フェースプレートは、該フェースプレートの前面から該フェースプレートの後面へ延びるコネクタを含む、項目４ｂに記載のレセプタクルアセンブリ。
【００２９】
（項目６ｂ）
上記ターミナルは、上記アダプタプレートに永久に結合される、項目１ｂに記載のレセプタクルアセンブリ。
【００３０】
（項目７ｂ）
上記ターミナルは、上記アダプタプレートに取り外し可能に結合される、項目１ｂに記載のレセプタクルアセンブリ。
【００３１】
（項目８ｂ）
上記ターミナルは、ロックナットを介して上記アダプタプレートに結合される、項目７ｂに記載のレセプタクルアセンブリ。
【００３２】
（項目９ｂ）
上記アダプタプレートは、Ｏリングの溝を有する、項目１ｂに記載のレセプタクルアセンブリ。
【００３３】
（項目１０ｂ）
上記スペーサ部材は、上記Ｏリングの溝と係合するＯリングである、項目９ｂに記載のレセプタクルアセンブリ。
【００３４】
（項目１１ｂ）
上記アダプタプレートは、該アダプタプレートの前面から該アダプタプレートの後面へ延びる少なくとも２つのオーバーサイズのアパーチャを含む、項目１ｂに記載のレセプタクルアセンブリ。
【００３５】
（項目１２ｂ）
上記フェースプレートは、上記少なくとも２つのオーバーサイズのアパーチャに対応する少なくとも２つのアパーチャを含み、該少なくとも２つのアパーチャは各々、締め付けデバイスを受け入れるように構成されている、項目１１ｂに記載のレセプタクルアセンブリ。
【００３６】
（項目１３ｂ）
上記締め付けデバイスは蝶ねじである、項目１０ｂに記載のレセプタクルアセンブリ
（項目１４ｂ）
エネルギー源をエネルギー送達デバイスに接続するときに使用されるレセプタクルアセンブリであって、該レセプタクルアセンブリは、
アパーチャを画定するフェースプレートであって、該アパーチャは、アダプタプレートの全方向の動きを可能にするように構成され、該アパーチャおよびターミナルは、共通の中心軸に沿って整列する、フェースプレートと、
アダプタプレートを含むアダプタアセンブリであって、該アダプタプレートは、該エネルギー源に動作可能に接続される該ターミナルを支持する、アダプタアセンブリと、
フェースプレートの該アパーチャの内面と該アダプタプレートの外面との間に挿置されたスペーサ部材であって、該スペーサ部材は、該フェースプレートに対する該アダプタプレートおよび該ターミナルの全方向の動きを可能にする、スペーサ部材と、
を備えている、レセプタクルアセンブリ。
【００３７】
（項目１５ｂ）
上記フェースプレートおよび上記アダプタプレートは、互いに調節可能に結合される、項目１４ｂに記載のレセプタクルアセンブリ。
【００３８】
（項目１６ｂ）
上記フェースプレートは、上記エネルギー源に取り外し可能に結合される、項目１４ｂに記載のレセプタクルアセンブリ。
【００３９】
（項目１７ｂ）
上記フェースプレートは、該フェースプレートの前面から該フェースプレートの後面へ延びるコネクタを含む、項目１６ｂに記載のレセプタクルアセンブリ。
【００４０】
（項目１８ｂ）
上記ターミナルは、上記アダプタプレートに永久に結合される、項目１４ｂに記載のレセプタクルアセンブリ。
【００４１】
（項目１９ｂ）
上記ターミナルは、上記アダプタプレートに取り外し可能に取り付けられる、項目１４ｂに記載のレセプタクルアセンブリ。
【００４２】
（項目２０ｂ）
上記ターミナルは、ロックナットを介して上記アダプタプレートに結合される、項目１９ｂに記載のレセプタクルアセンブリ。
【００４３】
（項目２１ｂ）
上記アダプタプレートはＯリングの溝を有する、項目１４ｂに記載のレセプタクルアセンブリ。
【００４４】
（項目２２ｂ）
上記スペーサ部材は、上記Ｏリングの溝と係合するＯリングである、項目２１ｂに記載のレセプタクルアセンブリ。
【００４５】
（項目２３ｂ）
上記アダプタプレートは、該アダプタプレートの前面から該アダプタプレートの後面へ延びる少なくとも２つのオーバーサイズのアパーチャを含む、項目１４ｂに記載のレセプタクルアセンブリ。
【００４６】
（項目２４ｂ）
上記フェースプレートは、上記少なくとも２つのオーバーサイズのアパーチャに対応する少なくとも２つのアパーチャを含み、該少なくとも２つのアパーチャは各々、締め付けデバイスを受け入れるように構成されている、項目２３ｂに記載のレセプタクルアセンブリ。
【００４７】
（項目２５ｂ）
上記締め付けデバイスは蝶ねじである、項目２４ｂに記載のレセプタクルアセンブリ。
【００４８】
（摘要）
エネルギー源をエネルギー送達デバイスに接続するときに使用するレセプタクルアセンブリが、本明細書に記述される。レセプタクルアセンブリは、アパーチャを画定するフェースプレートを含む。レセプタクルは、エネルギー源に動作可能に接続されるターミナルを支持するアダプタプレートを含むアダプタアセンブリも含む。さらに、レセプタクルは、フェースプレートのアパーチャの内面とアダプタプレートの外面との間に挿置されたスペーサ部材を含み、スペーサ部材は、フェースプレートに対するアダプタプレートおよびターミナルの全方向の動きを可能にする。
【発明を実施するための最良の形態】
【００４９】
（詳細な説明）
本開示の詳細な実施形態が、本明細書に記述されるが、開示された実施形態は単に、様々な形に実施され得る本開示の例であることは、理解されるべきである。従って、本明細書に開示された特定の構造的および機能的詳細は、限定するものとして解釈されるべきではなく、特許請求の範囲に対する単なる基礎として、またほとんどあらゆる適切かつ詳細な構造で本開示を使用することを当業者に教示するための代表的な基礎として解釈されるべきである。
【００５０】
図１および図４を参照して、本開示の実施形態によるレセプタクルアセンブリは、概して１０で示される。レセプタクルアセンブリ１０は、適切なエネルギー源４０を適切なエネルギー送達デバイス５０に接続するために使用され得る。エネルギー源４０およびエネルギー送達デバイス５０は、比較的低い周波数（３−３０メガヘルツ）から比較的高い周波数（３０−３００ギガヘルツ）までのＲＦ周波数スペクトルでの電源を使用して、電気外科医療処置を実行するように構成され得る。他の適切な用途が、本開示によって考えられている。
【００５１】
例示された実施形態において、レセプタクルアセンブリ１０は、アダプタアセンブリ２０およびアダプタアセンブリ２０を支持するように構成されるフェースプレート３０を含む。アダプタアセンブリ２０は、プラグすなわちターミナル２２を支持するように構成されるアダプタプレート２１を含む。ターミナル２２は、エネルギー源４０との動作可能な接続に対して構成され得る。
【００５２】
ターミナル２２は、適切な固定要素、例えばロックナット２３を介して、アダプタプレート２１に固定され得る。あるいは、図５〜図８に見られるように、ターミナル２２は、適切な接着剤などを介してアダプタプレート２１に永久に取り付けられ得る。
【００５３】
図１〜図３に見られるように、アダプタプレート２１は、多角形（例えば長方形）、球面多角形（例えば円）などを含むがこれらに限定されない任意の適切な形状を有する。アダプタプレート２１は、前面２７、後面２８、および側壁によって画定され得る。
【００５４】
アダプタプレート２１は、その前面２７から延びるフランジ６０を含む。フランジ６０が前面２７から延びる距離は、ユーザの望みおよび／またはニーズに依存する。図２および図４に最もよく見られるように、フランジ６０は、フェースプレート３０の後面３３に位置し得る対応するくり抜かれた空洞３９内に嵌るような大きさおよび形状とされ得る。フランジ６０はまた、ターミナル２２をアダプタプレート２１に接続するための取り付けデバイス２３を受け入れるような大きさおよび形状とされ得る。
【００５５】
フランジ６０は、多角形、球面多角形などを含むがこれらに限定されない任意の適切な形状であり得る。図２および図３に見られるように、一実施形態において、フランジ６０は、概ね円周の内壁および外壁、６２および６３それぞれによって画定される概ね円形状を有し得る。さらに、フランジ６０は、アダプタプレート２１を貫通するアパーチャ６１を画定する。アパーチャ６１は、その中にターミナル２２の一部分を受け入れるように構成され得る。
【００５６】
図２および図３を参照して、フランジ６０は、その外壁６３に形成された円周の溝２５を含む。溝２５は、その中に弾力性のあるスペーサ部材２４を受け入れるように構成される。溝２５の正確な寸法は、弾力性のあるスペーサ部材２４の寸法に依存し得、弾力性のあるスペーサ部材２４の寸法は、フランジ６０の外壁６３とフェースプレート３０のアパーチャ３１の内周面３７との間の所望のシールに依存する。
【００５７】
例示された実施形態において、弾力性のあるスペーサ部材２４は、Ｏリングである。しかしながら、使用されるスペーサ部材は、ガスケット、ベアリング、ブッシュなどを含む利用可能な技術分野で公知の任意の適切なスペーサ部材であり得る。フランジ６０の外壁６３に形成された溝２５内に配置された弾力性のあるスペーサ部材２４の代わりに、弾力性のあるスペーサ部材２４は、フェースプレート３０のアパーチャ３１の内周面３７に形成された円周の溝（図示されず）内に位置し得ることがさらに考えられている。
【００５８】
さらに、弾力性のあるスペーサ部材２４は、アクリロニトリルブタジエンコポリマー；ブタジエンゴム；ブチルゴム；クロロスルホン化ポリエチレン；エチレンプロピレンジエンモノマー；エチレンプロピレンモノマー；フルオロエラストマー；ペルフルオロエラストマー；ポリアクリレート；ポリクロロプレン；ポリイソプレン；ポリスルフィドゴム；ナノカーボンチューブを有する半導電性フルオロカーボン；シリコーンゴム；スチレンブタジエンゴム；熱可塑性エラストマースチレン系；熱可塑性ポリオレフィンＬＤＰＥ、ＨＤＰＥ、ＬＬＤＰＥ、ＵＬＤＰＥ；熱可塑性ポリウレタンポリエーテル、ポリエステル；熱可塑性エーテルエステルエラストマー；コポリエステル；熱可塑性ポリアミドポリアミド；溶融加工可能なゴム；および熱可塑性加硫物を含む群から選択され得る、合成ゴムおよび熱可塑性物質を含むがこれらに限定されない利用可能な技術分野において公知の任意の適切なタイプの材料から作られ得る。
【００５９】
必要である場合、図示されてはいないが、潤滑剤が、溝２５および弾力性のあるスペーサ部材２４に適用され得る。潤滑剤は、弾力性のあるスペーサ部材２４の操作性および／または保全性を促進するために使用され得る。
【００６０】
図３を特に参照して、アダプタプレート２１は、そこに形成され、アダプタプレート２１の前面２７から後面２８へ延びる少なくとも２つのアパーチャ２６を含む。さらに、アパーチャ２６は、アダプタプレート２１の相対するコーナーに位置し得る。アパーチャ２６は、アダプタプレート２１の全方向の動きを促進するように構成され得る。例示された実施形態において、アダプタプレート２１は、そこに形成された４つのアパーチャ２６を含み、各々は、アダプタプレート２１のそれぞれのコーナーの近くに位置する。
【００６１】
アパーチャ２６は、円形、楕円形、正方形、長方形などを含む任意の適切な形状であり得る。一実施形態において、アパーチャ２６は、形状が概ね楕円形である。所与の蝶ねじのヘッド直径に対して、形状が概ね楕円形の少なくとも２つのアパーチャ２６を使用することは、アダプタプレート２１の最大の長手方向の動きを可能にし得る。あるいは、図９に示されるように、各アパーチャ２６ａは、形状が概ね円形であり得る。
【００６２】
別の実施形態において、図１０に見られるように、少なくとも２つのアパーチャ２６を使用する代わりに、少なくとも２つの概ね細長いスロット２６ｂがあり得る。この実施形態において、スロット２６ｂは、前面２７から後面２８へ延びる。さらに、スロットは、アダプタプレート２１の実質的に１つの側から相対する側へ延び得る。
【００６３】
図１に戻って、アダプタプレート２１のアパーチャ２６は、フェースプレート３０に形成された少なくとも２つの対応するアパーチャ３２の共通中心軸に沿って整列し得る。
【００６４】
各アパーチャ２６は、締め付けデバイス２９を受け入れるように構成され得る。締め付けデバイス２９は、任意の適切な締め付けデバイス、例えば皿ねじ、フィリップスヘッドねじ、ショルダーボルト、ピン、ナットおよびボルトなどであり得る。
【００６５】
図１、２、５および６を参照して、アダプタプレートアセンブリ２０は、ターミナル２２を選択的に支持するように構成される。ターミナル２２は、エネルギー源４０の内部の回路網および／または構成要素（明確には図示されず）に動作可能にかつ選択的に接続され得る。例えば、一実施形態において、ターミナル２２は、雄−雌接続の一部分として構成され得、ターミナル２２の遠位端は、雄構成または雌構成のいずれかを有し得る。代替の実施形態において、ターミナル２２の遠位端は、エネルギー源４０の内部の回路網に取り付けられるように構成されたワイヤを有し得る。ターミナル２２は、エネルギー源４０およびエネルギー送達デバイス５０が意図されたように機能するために必要とされる任意の適切な特徴をさらに含み得る。
【００６６】
一実施形態において、図１、２および４に見られるように、ターミナル２２はロックナット２３を介して、アダプタプレート２１に結合され得、この場合ターミナル２２は外部のねじ山を有し得、ロックナット２３は内部のねじ山を有し得、またはその逆であり得る。別の実施形態において、ターミナル２２は、従来のねじ嵌め方法を介してアダプタプレート２１に結合され得、この場合ターミナル２２は外部のねじ山を有し得、アダプタプレート２１は、そのアパーチャ６１に提供された内部のねじ山を有し得る。さらに別の実施形態において、ターミナル２２は、アダプタプレート２１の中にプレス嵌めされ得る。さらに別の実施形態において、図５および図６に見られるように、ターミナル２２は接着剤または溶接を介して、アダプタプレート２１に永久に結合され得、このことについては、以下にさらに詳細に論じられるとおりである。
【００６７】
図１および図２に見られるように、アダプタプレート２１が、フェースプレート３０と接続されるとき、フェースプレート３０は、アダプタプレート２１の対応するアパーチャ２６と実質的に整列する位置において、そこに形成された少なくとも２つのアパーチャ３２を含む。アパーチャ３２は、各々が締め付けデバイス２９、例えば蝶ねじを受け入れるように構成され得る。さらに、フェースプレート３０は、アダプタプレート２１が、フェースプレート３０に取り付けられるとき、アダプタプレート２１の全方向の動きを可能にするように構成されるアパーチャ３１を含む。フェースプレート３０は、フェースプレート３０に形成されたアパーチャ３５を貫通する適切な締め付け部材（図示されず）を介して、エネルギー源４０に取り外し可能にまたは固定的に結合され得る。フェースプレート３０は、コネクタまたはターミナル３６を支持するように構成され得る。
【００６８】
図１、図２および図４を引続き参照して、フェースプレート３０は、そこに形成されたアパーチャ３１を有し得る。アパーチャ３１は、任意の適切な形状、例えば多角形、球面多角形などであり得る。アパーチャ３１は、形状が概ね円形であり得、概ね内側の円周の壁３７によって画定され得、概ね内周の壁３７は、フェースプレート３０の前面３４から後面３３へ延び得る。フェースプレート３０のアパーチャ３１は、アダプタプレート２１のフランジ６０よりも大きい大きさとされる。この態様において、アダプタプレート２１がフェースプレート３０に取り付けられるとき、アダプタプレート２１のフランジ６０は、フェースプレート３０のアパーチャ３１の中に挿入され、アダプタプレート２１の弾力性のあるスペーサ部材２４は、アパーチャ３１の内周壁３７とフランジ６０の外壁６３との間に挿置される。
【００６９】
ターミナル３６は、電気的コネクタ、ＲＦコネクタ、オーディオコネクタ、ビデオコネクタなどを含むがこれらに限定されない利用可能な技術分野において公知の任意の適切なタイプのターミナルであり得る。一実施形態において、ターミナル３６は、対応する１０ピンプロングを固定するために使用され得る１０ピンコネクタであり得る。さらに、ターミナル３６は、ターミナル２２をアダプタプレート２１に固定するために使用される前述の固定デバイスおよび／または方法のうちの任意のものを介してフェースプレート３０に固定され得る。例えば、一実施形態において、ターミナル３６は、ロックナット３８を介してフェースプレート３０に固定され得る（図２および図４を参照）。別の実施形態において、図８に見られるように、ターミナル３６は、プレス嵌めを介してフェースプレート３０に固定され得る。
【００７０】
さらに、図４に見られるように、ターミナル３６は、エネルギー源４０の内部の構成要素および／または回路網に接続され得る。例えば、一実施形態において、ターミナル３６は、雄−雌接続の一部分として構成され得、ターミナル３６の遠位端は、雄構成または雌構成のいずれかを有し得る。代替の実施形態において、ターミナル３６の後端は、エネルギー源４０の内部の回路網に取り付けられるように構成されたワイヤを有し得る。ターミナル３６は、エネルギー源４０およびエネルギー送達デバイス５０が意図されたように動作しかつ機能するために必要とされる任意の適切な特徴をさらに含み得る。
【００７１】
図５〜図８をここで参照して、本開示の代替の実施形態によるレセプタクルプレートアセンブリは今後、参照番号１００によって表される。図５〜図８に示されるように、レセプタクルプレートアセンブリ１００は、アダプタアセンブリ１２０およびフェースプレート１３０を含む。アダプタアセンブリ１２０およびフェースプレート１３０は、前述のアダプタアセンブリ２０およびフェースプレート３０におけると同様な方法で機能する。結果として、別に述べられない限り、アダプタプレートアセンブリ１２０およびフェースプレート１３０に固有である特徴および／または部材だけが今後論議される。
【００７２】
図５〜図８を引続き参照して、上に記述されたように、アダプタアセンブリ１２０は、アダプタプレート１２１およびそれに永久に取り付けられたターミナル１２２を含む。ターミナル１２２は、アダプタプレート１２１の一部分として成形または形成され得るか、またははんだ付け、溶接、ろう付けなどを介してアダプタプレート１２１に永久に取り付けられ得る。
【００７３】
図５〜図１０に見られるように、ターミナル１２２は、そこにスペーサ部材１２４を支持または保持するように構成された円周の溝１２５を含む。そのように構成されているので、アダプタアセンブリ１２０が、締め付け部材１２９を介してフェースプレート１３０に固定されているとき、スペーサ部材１２４は、ターミナル１２２とフェースプレート１３０のアパーチャ１３１の内周壁１３７との間に挿置される。
【００７４】
ここで、図１１〜図１３を参照して、エネルギー送達デバイス５０のプラグ７０を接続するレセプタクルアセンブリ１０の動作の様子が示され、記述される。図１１に見られるように、プラグ７０は、レセプタクルアセンブリ１０のターミナル３６との選択的な電気機械的接続に対して構成された第１のターミナル７２、およびレセプタクルアセンブリ１０のターミナル２２との選択的な電気機械的接続に対して構成された第２のターミナル７４を含む。第１のターミナル７２の中心軸７２ａは、第２のターミナル７４の中心軸７４ａから距離「Ｗ」の間隔が置かれている。プラグ７０の製造中、第１のターミナル７２と第２のターミナル７４との間の距離「Ｗ」は、エネルギー送達デバイス５０ごとに変わり得る（例えば、距離「Ｗ」は、エネルギーデバイス５０ごとに比較的大きいかまたは小さくあり得る）。
【００７５】
従って、エネルギーデバイス５０のプラグ７０の、エネルギー源４０のレセプタクルアセンブリ１０への接続の間、第１のターミナル７２と第２のターミナル７４との間の距離「Ｗ」におけるこれらの相違を補償または調節するために、アダプタプレートアセンブリ２０は、フェースプレート３０に対して可動である。
【００７６】
図１２および図１３に見られるように、第１のターミナル７２および第２のターミナル７４を含み、互いから距離「Ｗ１」（例えば距離「Ｗ」よりも小さい）の間隔が置かれているプラグ７０が、エネルギー源４０のレセプタクルアセンブリ１０に接続される場合、第１のターミナル７２は、レセプタクルアセンブリ１０のターミナル３６と整列、接続され、これと付随して、ターミナル２２は、ターミナル２２の中心軸が、第２のターミナル７４の中心軸７４ａと整列するまで、矢印「Ａ」の方向に動かされるか、または促され（それと共に、第１に位置においてスペーサ部材２４を圧して）、それによって第２のターミナル７４の、ターミナル２２との正しい接続を可能にする。
【００７７】
同様に、第１のターミナル７２および第２のターミナル７４を含み、互いから距離「Ｗ２」（例えば距離「Ｗ」よりも大きい）の間隔が置かれているプラグ７０が、エネルギー源４０のレセプタクルアセンブリ１０に接続される場合、第１のターミナル７２は、レセプタクルアセンブリ１０のターミナル３６と整列、接続され、これと付随して、ターミナル２２は、ターミナル２２の中心軸が、第２のターミナル７４の中心軸７４ａと整列するまで、矢印「Ｂ」の方向に動かされるか、または促され（その第２の位置においてスペーサ部材２４を圧して）、それによって第２のターミナル７４の、ターミナル２２との正しい接続を可能にする。
【００７８】
本開示のいくつかの実施形態が図面で示されたが、本開示はそれらに限定されるとは意図されていない。なぜならば、本開示は範囲において当技術分野が許す限り広く、本明細書はそのように読まれることが意図されているからである。従って、上述は限定するものとして解釈されるべきではなく、特定の実施形態の単なる例示として解釈されるべきである。当業者は、本明細書に添付された請求項の範囲および精神内で他の変更に想到する。
【図面の簡単な説明】
【００７９】
【図１】図１は、本開示の一実施形態によるレセプタクルアセンブリが部分的に分解された透視図であり、アダプタアセンブリおよびフェースプレートアセンブリは、互いから分離されている。
【図２】図２は、図１のレセプタクルアセンブリの分解図である。
【図３】図３は、図１および図２のレセプタクルアセンブリのアダプタプレートの拡大透視図である。
【図４】図４は、図１の４−４に沿った、図１および図２のレセプタクルアセンブリの断面図であり、そのフェースプレートに固定されたターミナルを例示する。
【図５】図５は、本開示の別の実施形態によるレセプタクルアセンブリが部分的に分解された透視図であり、アダプタプレートおよびフェースプレートは、互いから分離されている。
【図６】図６は、図５のレセプタクルアセンブリの分解図である。
【図７】図７は、図５および図６のレセプタクルアセンブリのアダプタプレートの拡大透視図である。
【図８】図８は、図５の８−８に沿った、図５および図６のレセプタクルアセンブリの断面図であり、そのフェースプレートに固定されたコネクタを例示する。
【図９】図９は、本開示の別の実施形態によるアダプタプレートの拡大透視図である。
【図１０】図１０は、本開示のさらに別の実施形態によるアダプタプレートの拡大透視図である。
【図１１】図１１は、本開示の一実施形態による、共通の中心軸に沿って整列するレセプタクルアセンブリおよびエネルギー送達デバイスのプラグの概略平面図である。
【図１２】図１２は、本開示の一実施形態による、共通の中心軸に沿って整列しないレセプタクルアセンブリおよびエネルギー送達デバイスのプラグの概略平面図である。
【図１３】図１３は、フェースプレートに接続されたアダプタプレートアセンブリの概略図であり、その動作を例示する。
【符号の説明】
【００８０】
１０  レセプタクルアセンブリ
２０  アダプタアセンブリ
２１  アダプタプレート
２２  ターミナル
２４  スペーサ部材
３０  フェースプレート
４０  エネルギー源
５０  エネルギー送達デバイス
２６、３１、３２、３５、６１  アパーチャ
【図１】
2009061270.tif 000003
【図２】
2009061270.tif 000004
【図３】
2009061270.tif 000005
【図４】
2009061270.tif 000006
【図５】
2009061270.tif 000007
【図６】
2009061270.tif 000008
【図７】
2009061270.tif 000009
【図８】
2009061270.tif 000010
【図９】
2009061270.tif 000011
【図１０】
2009061270.tif 000012
【図１１】
2009061270.tif 000013
【図１２】
2009061270.tif 000014
【図１３】
2009061270.tif 000015